(57)【要約】【課題】スノコの上から固形物を含んだ飲み残しの飲料が廃棄されると、この固形物が排水溝や機外排水管に詰まってしまうことがあった。さらに廃棄された飲料（廃液）がスノコを通じてトレーの外部に溢れ出ることがあった。【解決手段】本発明の排水溝用フィルタ（１０）は、底部に排水溝（５Ａ）を有する漏斗型のトレー（５）に取り付け可能な排水溝用フィルタであって、側面に設けられ、濾過機能を有する孔部（１０Ａ）と、下部に設けられ、前記排水溝に差し込まれる差し込み管（１０Ｃ）と、上面側に設けられた開口部（１０Ｂ）とを有する柱状のフィルタである。【選択図】図１
2005082231.tif 000002
【特許請求の範囲】
【請求項１】
底部に排水溝を有する漏斗型のトレーに取り付け可能な排水溝用フィルタであって、
側面に設けられ、濾過機能を有する孔部と、
下部に設けられ、前記排水溝に差し込まれる差し込み管と、
上面側に設けられた開口部と
を有する柱状の排水溝用フィルタ。
【発明の詳細な説明】
【技術分野】
【０００１】
本発明は、飲料ディスペンサ等の排水溝に取り付け可能なフィルタに関する。
【背景技術】
【０００２】
図３は、従来の飲料ディスペンサの構成を示す図である。この図では、装置構造の理解を容易にすべく、装置本体の下側については断面構造を示す。
図３に示すように、従来の飲料ディスペンサは、装置本体１の前面に設けられた取り出し口２内の上側に、飲料水を注出する注出口３を備え、取り出し口２内の下側に、飲料用コップ７を置くためのスノコ４を備える。
装置本体１は、内部に飲料供給装置（図示せず）を備え、装置本体前面にある操作部のボタンを利用者が押すことにより、好みの飲料水を入手できるように構成されている。
【０００３】
このスノコ４は、漏斗型のトレー５に載置されており、トレー５の排水溝５Ａには、機外排水管６が接続されている。
注出口３から滴下した滴や、飲み残しの飲料水や液体状の食品、あるいは、注出口３より上流側の注出系統（図示せず）内の洗浄水は、スノコ４の隙間を通じてトレー５で収集され、排水溝５Ａを経て機外排水管６に排水される（例えば、特許文献１参照。）。
【０００４】
【特許文献１】特開２００１−４３４３９号公報
【発明の開示】
【発明が解決しようとする課題】
【０００５】
従来の飲料ディスペンサは、上述のように構成されていたため、下記のような課題が生じていた。
すなわち、スノコ４の上から固形物（例えば、カップ麺の食べ残しや茶葉）を含む飲み残しの飲料水や液体状の食品が廃棄されると、この固形物が排水溝５Ａや機外排水管６に詰まってしまうことがあった。そして、この状態で飲み残しの飲料水が廃棄されると、機外排水管６内やトレー５内に飲料水が流れずに貯まってしまい、廃棄された飲料（廃液）がスノコ４を通じてトレー５の外部に溢れ出ることがあった。
【０００６】
また、一方では、飲料ディスペンサの取り出し口２やトレー５の周辺はスペースが限られており、あまり大きなフィルタを備えることができなかった。例えば、排水溝５Ａを覆うような板状のフィルタを取り付けるためには、このフィルタを設置する場所を設けると共に固定具を備えなければならないため、スペース的な制約上、設置は困難であった。
【課題を解決するための手段】
【０００７】
本発明の排水溝用フィルタは、底部に排水溝を有する漏斗型のトレーに取り付け可能な排水溝用フィルタであって、側面に設けられ、濾過機能を有する孔部と、下部に設けられ、前記排水溝に差し込まれる差し込み管と、上面側に設けられた開口部とを有する柱状のフィルタである。
【発明の効果】
【０００８】
本発明の排水溝用フィルタは、側面に設けられ、濾過機能を有する孔部と、下部に設けられ、排水溝に差し込まれる差し込み管と、上面側に設けられた開口部とを有する柱状のフィルタであるので、排水溝に取り付けることにより、トレーの排水溝及び機外排水管の目詰まりを抑制することができ、トレーに廃棄した廃液が逆流して溢れ出ることを未然に抑止することができる。また、フィルタの定期的な洗浄をし忘れたような場合でも、フィルタ上部の開口部を通じて廃液が排水されるので、トレーから廃液が逆流することを抑制することができる。
【発明を実施するための最良の形態】
【０００９】
図１は、本発明の飲料ディスペンサの排水溝用フィルタを取り付けた飲料ディスペンサの構成を示す図である。
飲料ディスペンサ自体は、従来と同様であり、装置本体１の前面に設けられた取り出し口２内の上側に、飲料水を注出する注出口３を備え、取り出し口２内の下側に、飲料用コップ７を置くためのスノコ４を備える。このスノコ４は、漏斗型のトレー５に載置されており、トレー５の排水溝５Ａには、機外排水管６が接続されている。
本発明の排水溝用フィルタ１０は、上述のような飲料ディスペンサに対し、漏斗型のトレー５の排水溝５Ａに、差し込むことにより取り付けることができる。
【００１０】
図２は、本発明の飲料ディスペンサの排水溝用フィルタの構成を示す図である。
図２に示すように、この排水溝用フィルタ１０は、四角柱型（同図（ａ）参照）、円柱型（同図（ｂ）参照）、または六角柱型（同図（ｃ）参照）等の形状であり、側面に濾過機能を有する孔部であるメッシュ部１０Ａを有する。また、上面側はメッシュ構造ではなく、開口部１０Ｂによって完全に開口されており、さらに、下部側にはトレー５の排水溝５Ａに差し込んで取り付けるための差し込み管１０Ｃを有する。
【００１１】
差し込み管１０Ｃの外径は、排水溝５Ａの内径に合わせて隙間が生じないように、かつ、排水溝用フィルタ１０を抜き差し可能なように設定される。
このようなフィルタは、例えば樹脂を一体成形することによって製造することができる。
【００１２】
排水溝用フィルタ１０の高さは、差し込み管１０Ｃを排水溝５Ａに完全に差し込んだときに、排水溝用フィルタ１０とスノコ４の下面との間に距離Δｄ（図１参照）が保たれるように設定されている。Δｄとしては、飲料ディスペンサで用いられるカップ（例えば２５０ｃｃのカップ）が倒れて内容物がトレーに流入した場合に、メッシュ部１０Ａが目詰まりしていても内容物がトレー５から溢れ出ることなく、かつ、確実に排水できるような高さに設定されることが望ましい。すなわち、Δｄは、トレーの容積との相対関係で具体的な数値が決定される。
また、メッシュ部１０Ａの目の細かさは、スノコ４の隙間よりも狭く設定されていることが望ましい。
【００１３】
このような排水溝用フィルタ１０をトレー５の排水溝５Ａに設置した状態で、固形物（例えば、カップ麺の食べ残しや茶葉）を含む飲み残しの飲料水や液体状の食品がスノコ４の上から廃棄された場合において、この固形物がさらにスノコ４を通過してしまったとしても、固形物はフィルタのメッシュ部１０Ａに引っかかるので、機外排水管６が詰まることを抑制することができる。この結果、スノコ４を介して廃棄された液体を効率よく機外排水管６に流すことができる。
【００１４】
また、万一、排水溝用フィルタ１０の側面のメッシュ部１０Ａが目詰まりを起こした場合でも、トレー５内に貯まった廃液の水面が排水溝用フィルタ１０の高さを超えたところで廃液は排水溝用フィルタ１０の上面側に設けられた開口部１０Ｂを通じて排水溝用フィルタ１０内に誘導される。上述したように、排水溝用フィルタ１０の上面とスノコ４の下面との間の距離Δｄだけ余裕代があることになるため、トレー５内で貯まった排水がトレー５から溢れ出ることを抑制できる。
なお、上述したように、排水溝用フィルタ１０は、トレー５の排水溝５Ａから取り外せるように脱着可能に構成されているので、容易に洗浄することができる。また、簡単に取り外せるので、トレー５内の洗浄も容易である。従って、排水溝用フィルタ１０及びトレー５を定期的に洗浄することにより、トレー５の排水機能を良好に保つと共に、飲料ディスペンサを衛生的に保持することができる。
【００１５】
以上では、排水溝用フィルタ１０の形状が図２（ａ）に示す四角柱型の場合、図２（ｂ）に示す円柱型の場合、あるいは図２（ｃ）に示す六角柱型の場合について説明したが、排水溝用フィルタ１０の形状はこれらの型に形状に限定されるものではなく、他の断面形状を有するものでもよく、また、柱形状はテーパ型であってもよい。
【００１６】
また、フィルタは樹脂製に限らず、ステンレス等の金属製にすることもできる。さらに、メッシュ部１０Ａだけを金属製にしてもよい。
なお、上面側が開口しており、下部側に差し込み管１０Ｃを備えることは、いずれの形態のフィルタにおいても必要である。
【００１７】
また、以上では、排水溝用フィルタ１０の上面側が完全に開口している場合（開口部１０Ｂが排水溝用フィルタ１０の上面側の全体に及んでいる場合）について説明したが、上面側は必ずしも完全に開口している必要はなく、開口部１０Ｂの大きさは、少なくとも差し込み管１０Ｃの管の内部断面と同程度の大きさがあればよい。
【００１８】
また、以上の説明では、排水溝用フィルタ１０がトレー５とは別体で取り外し可能に構成されている場合について説明したが、必ずしも取り外し可能に構成されている必要はなく、トレー５の一部として一体的に構成されていてもよい。
【００１９】
なお、以上の説明では、本発明の排水溝用フィルタを飲料ディスペンサの排水溝に取り付ける場合について説明したが、本発明の排水溝用フィルタの取り付け先は、飲料用ディスペンサに限定されるものではなく、漏斗型のトレーの底部に設けられた排水溝であって、固形物の流出を抑制したい排水溝であれば、他の装置のものであってもよく、その場合には同様の効果を得ることができる。
【００２０】
以上、本発明の排水溝用フィルタによれば、トレー５の排水溝５Ａ及び機外排水管６の目詰まりを抑制することができるので、トレー５に廃棄した廃液が逆流して溢れ出ることを未然に抑止することができる。特に、排水溝用フィルタ１０の上面側を完全に開口すると共に、排水溝用フィルタ１０とスノコ４との間にΔｄだけの余裕代を設けたので、排水溝用フィルタ１０の定期的な洗浄をし忘れたような場合でも、トレー５から廃液が逆流することを抑制することができる。
【図面の簡単な説明】
【００２１】
【図１】本発明の飲料ディスペンサの排水溝用フィルタを取り付けた飲料ディスペンサの構成を示す図である。
【図２】本発明の飲料ディスペンサの排水溝用フィルタの構成を示す図である。
【図３】従来の飲料ディスペンサの構成を示す図である。
【符号の説明】
【００２２】
１  装置本体、２  取り出し口、３  注出口、４  スノコ、５  トレー、５Ａ  排水溝、６  機外排水管、７  飲料用コップ、１０  排水溝用フィルタ、１０Ａ  メッシュ部、１０Ｂ  開口部、１０Ｃ  差し込み管。
【図１】
2005082231.tif 000003
【図２】
2005082231.tif 000004
【図３】
2005082231.tif 000005